(57)【要約】【課題】瓦桟木と共に瓦下地の野地垂木に固定釘で固定した場合に、これによって生じたルーフィングの貫通孔に雨水等が浸入せず、雨漏りの問題を発生させないこと。【解決手段】桟木支持部材１は、平面から見て四辺形板状の桟木受台１ａとその一辺に立ち上げたガイド板１ｂと、桟木受台１ａの裏面に取り付けた弾性脚体１ｃとで構成する。桟木受台１ａは７ｍｍ程度のプラスチック製の板状部材であり、ガイド板１ｂと一体に成形する。また弾性脚体１ｃは、桟木受台１ａの裏面の全面に取り付けた弾力性のある板状部材であり、３ｍｍ程の厚みの合成ゴム材を用い、これを接着剤で固着したものである。【選択図】　図１
2004019414.tif 000002
【特許請求の範囲】
【請求項１】
瓦桟木の下面と屋根に於ける瓦下地との間に複数のそれを配して該瓦桟木と共に該瓦下地に取り付ける桟木支持部材であって、該瓦桟木を載せる桟木受台と、該桟木受台の下面に取り付けた弾性脚体とで構成した桟木支持部材。
【請求項２】
前記弾性脚体を、前記桟木受台の下部全面に取り付けた請求項１の桟木支持部材。
【請求項３】
前記弾性脚体を前記桟木受台の下面周縁に沿って帯状に配し、使用時にこれが当接することとなる瓦下地の傾斜下方に向く部位を切り欠いた請求項１の桟木支持部材。
【請求項４】
前記桟木受台の上面に、これに載せる瓦桟木の長側辺の位置決め用のガイド部を立ち上げた請求項１、２又は３の桟木支持部材。
【請求項５】
前記桟木受台の上面に、これに載せる瓦桟木を抱持する環状部を構成した請求項１、２又は３の桟木支持部材。
【請求項６】
前記弾性脚体及び桟木受台を、該弾性脚体が使用時に当接することとなる瓦下地の傾斜上方に向かって尖るテーパ状に構成した請求項１、２、３、４又は５の桟木支持部材。
【発明の詳細な説明】
【０００１】
【発明の属する技術分野】
本発明は、屋根瓦を係止する瓦桟木をこれに載せた状態で、野地垂木及び野地板並びにその上に配したルーフィングで構成される瓦下地上に配し、該瓦桟木と共に、該ルーフィング及び野地板を介して野地垂木に固定するために使用する桟木支持部材に関する。
【０００２】
【従来の技術】
瓦桟木は、野地垂木上に順次野地板及びルーフィングが配されてなる瓦下地上に縦桟木又は流水テープを介して取り付けられている。縦桟木及び流水テープはいずれも前記野地垂木に沿って固定されるものである。
【０００３】
木質の縦桟木を介して瓦桟木が固定される場合は、そのルーフィングとの当接面が必ずしも平滑ではなく、更には弾力性がないため、ルーフィングの上面との間に不定形の隙間が生じることとなる。そのため、この上に配する瓦桟木を固定釘を打ち込んで野地垂木に固定すると、例えば、瓦を葺く前の降雨等により雨水がルーフィング上を流れた場合に、該雨水が前記縦桟木とルーフィングとの隙間に浸入し、更に前記固定釘を打ち込んだことによって生じたルーフィングの貫通孔を通じて野地板及び野地垂木側に浸入し、これらに対して腐食等の問題を発生させる原因となる虞がある。
【０００４】
前記流水テープを介して瓦桟木が固定される場合は、そのルーフィングとの当接面が、前記縦桟木と同様に、必ずしも必要な弾力性を備えている訳ではないため、同様にルーフィングとの間に不定形の隙間が生じ、同様に、雨水が前記固定釘によって生じたルーフィングの貫通孔を通じて野地板及び野地垂木側に浸入し、これらを腐食させる等の問題を発生させる原因となる虞がある。
【０００５】
また前記流水テープの場合は、その厚みが３ｍｍ程度と薄いため、その上に配した瓦桟木とルーフィング上面との隙間は、云うまでもなく、３ｍｍ程度と、上記のように、かなり薄いものとなり、そのため、この隙間に埃その他の種々の異物が詰まり易く、その結果、雨水等が何らかの事情でルーフィング上を流れた場合に、その流下が妨げられる虞が生じることとなる。
【０００６】
そしてこのように雨水の流下が妨げられるようになると、その雨水が前記流水テープとルーフィングの隙間に浸入する可能性が高くなり、前記のような固定釘によって生じたルーフィングの貫通孔を通じて、前記と同様に、野地板や野地垂木側に浸入し、これらを腐食させる虞を高めることとなるものである。
【０００７】
【発明が解決しようとする課題】
本発明は、以上のような従来例の不都合を解消し、瓦桟木を確実に瓦下地上に支持し得、かつ該瓦桟木と共に該瓦下地を構成する野地垂木に固定釘で固定した場合にも、これによって生じたルーフィングの貫通孔に雨水等が浸入することがなく、雨漏りの問題の発生する余地のない桟木支持部材を提供することを解決の課題とする。
【０００８】
【課題を解決するための手段】
本発明の１は、瓦桟木の下面と屋根に於ける瓦下地との間に複数のそれを配して該瓦桟木と共に該瓦下地に取り付ける桟木支持部材であって、該瓦桟木を載せる桟木受台と、該桟木受台の下面に取り付けた弾性脚体とで構成した桟木支持部材である。
【０００９】
桟木受台は、この上に瓦桟木を載せた上で、固定釘で該瓦桟木と共に瓦下地の構成要素である野地垂木に固定するものであるから、そのために不都合とならない限り種々の形状及び材質を採用することができる。そのような観点から、概ね、平面から見た形状は自由であるが、厚みは各部で概ね一定であるのが都合がよい。材質的には、瓦によって外部から遮断されるものであり、種々のプラスチック類を用いることが可能である。
【００１０】
前記弾性脚体は、適度な堅さ及び弾力性を持った合成ゴム等を採用することができる。
【００１１】
従って本発明の１の桟木支持部材によれば、複数のそれを瓦下地上の同一高さの位置にほぼ定間隔で配し、それらの上に瓦桟木を載せ、各桟木支持部材を固定釘で該瓦桟木と共に該瓦下地に固定すれば、瓦を葺く前又は瓦を葺いた後でも何らかの事情でルーフィング上を雨水が流れたとしても、該桟木支持部材の弾性脚体とルーフィングの上面との間に雨水が浸入するようなことはなく、その結果、良好に雨水を流下させ得、雨漏りの発生の余地はない。
【００１２】
なお前記桟木支持部材は、それぞれ連設されている野地垂木の同一高さの位置に配され、かつ瓦桟木の上面の該当する部位から打ち込まれた固定釘がこれ及びルーフィング並びに野地板を通じて野地垂木に打ち込まれて瓦下地上に固定されるものである。
【００１３】
このように瓦下地上に固定される桟木支持部材は、その弾性脚体の下面が前記ルーフィングに当接することとなるが、云うまでもなく、それ自体が適度の弾力性を有しているため、ルーフィング側に若干の凹凸があったとしてもこれに対応して変形し、高い密着度で接合することとなる。
【００１４】
従って、前記のように、何らかの事情で雨水がルーフィング上を流れることがあったとしても、これが桟木支持部材の弾性脚体とルーフィングとの間に浸入する虞はなく、それ故、瓦桟木の上面から打ち込まれた固定釘でルーフィングに開口させられた貫通孔に該雨水が到達する虞はない。かくして本発明の１の桟木支持部材によれば、瓦桟木の設置に起因する雨漏りの発生等を回避することができる。
【００１５】
本発明の２は、本発明の１の桟木支持部材に於いて、前記弾性脚体を、前記桟木受台の下部全面に取り付けたものである。
【００１６】
従って本発明の２の桟木支持部材によれば、これによって本発明の１の桟木支持部材と同様に瓦桟木を支持した場合、その弾性脚体の下面が前記ルーフィングに密着状態に当接することとなるため、たとえ、ルーフィング上を雨水が流れることがあっても、これが該弾性脚体の下面とルーフィングの上面間に浸入する虞はない。
【００１７】
本発明の３は、本発明の１の桟木支持部材に於いて、前記弾性脚体を前記桟木受台の下面周縁に沿って帯状に配し、使用時にこれが当接することとなる瓦下地の傾斜下方に向く部位を切り欠いたものである。
【００１８】
従って本発明の３の桟木支持部材によれば、これによって本発明の１の桟木支持部材と同様に瓦桟木を支持した場合、その桟木支持部材の下面の内、その周縁のみに位置する弾性脚体が前記ルーフィングに密着状態に当接することとなるが、これによって、たとえ、ルーフィング上を雨水が流れることがあっても、その雨水が該弾性脚体の下面とルーフィングの上面間に浸入する虞はない。また何らかの事情で該弾性脚体の下面とルーフィングの上面間に隙間が生じ、これに雨水が浸入したとしても、雨水はその隙間に保持され、容易にその内側の弾性脚体の当接していない部位には浸入しない。かえって隙間に沿って緩やかに流下するような動きとなる。
【００１９】
本発明の４は、本発明の１、２又は３の桟木支持部材に於いて、前記桟木受台の上面に、これに載せる瓦桟木の長側辺の位置決め用のガイド部を立ち上げた桟木支持部材である。
【００２０】
従って本発明の４の桟木支持部材によれば、これによって本発明の１の桟木支持部材と同様に瓦桟木を支持することとした場合、相互の位置決めが容易かつ正確にできるため、その作業がスピーディに行えるようになる。
【００２１】
本発明の５は、本発明の１、２又は３の桟木支持部材に於いて、前記桟木受台の上面に、これに載せる瓦桟木を抱持する環状部を構成したものである。
【００２２】
前記環状部は、上記のように、瓦桟木を抱持するものであり、そのため、その内周側の形状寸法を対象となる瓦桟木の寸法と若干の余裕を持って一致させておく必要がある。即ち、該環状部は、対象の瓦桟木の断面形状に相似形で僅かに大寸法とする。
【００２３】
従って本発明の５の桟木支持部材によれば、これによって本発明の１の桟木支持部材と同様に瓦桟木を支持することとした場合、予め対象の瓦桟木にその環状部を利用して必要数のこれ、即ち、桟木支持部材を取り付けておくこととするのが都合がよい。より具体的には、該瓦桟木に必要数の桟木支持部材の環状部を外装しておくものであり、こうしておくことにより、作業現場では、該桟木支持部材をスライド移動させて容易に相互を所定の間隔にセットすることができ、スピーディに瓦下地上に取り付けることができる。
【００２４】
本発明の６は、本発明の１、２、３、４又は５の桟木支持部材に於いて、前記弾性脚体及び桟木受台を、該弾性脚体が使用時に当接することとなる瓦下地の傾斜上方側に向かって尖るテーパ状に構成したものである。
【００２５】
従って本発明の６の桟木支持部材によれば、これを用いて本発明の１と同様に瓦桟木を取り付けた場合、例えば、何らかの理由によりルーフィング上を雨水が流れてきて該桟木支持部材の設置位置に至ったとしても、前記弾性脚体及び桟木受台が傾斜状方に向かって尖るテーパ状となっているため、両側に分かれて流下することとなり、その上端部に雨水が滞留するような虞はない。そのためこれに起因して徐々に前記弾性脚体と前記ルーフィングとの間にその雨水が浸入するような虞はない。
【００２６】
【発明の実施の形態】
以下本発明の実施の形態を、図面を参照しながら実施例に基づいて説明する。
【００２７】
＜実施例１＞
図１〜図４は、本発明を適用した実施例１の桟木支持部材又はその使用態様を示したもので、図１（ａ）は桟木支持部材の背面側から見た概略斜視図、図１（ｂ）は桟木支持部材の裏面側から見た概略斜視図、図１（ｃ）は瓦桟木を支持した状態の桟木支持部材の背面側から見た概略斜視図、図２は瓦下地上に桟木支持部材を介して瓦桟木を配した状態を示す概略斜視図、図３（ａ）は桟木支持部材で瓦桟木を支持する状態を示した平面説明図、図３（ｂ）は桟木支持部材で瓦桟木を支持する状態を示した断面説明図、図４は瓦下地に桟木支持部材を介して配した瓦桟木に瓦を係止した状態を示す概略側面説明図である。
【００２８】
この実施例１の桟木支持部材１は、図１（ａ）〜（ｃ）に示すように、平面から見て四辺形板状の桟木受台１ａとその一辺に立ち上げたガイド板１ｂと、該桟木受台１ａの裏面に取り付けた弾性脚体１ｃとで構成したものである。
【００２９】
前記桟木受台１ａは７ｍｍ程度のプラスチック製の板状部材であり、既述のように、その一辺に立ち上げたガイド板１ｂと一体に成形する。該ガイド板１ｂは、前記桟木受台１ａに載置する瓦桟木２をこれに当接させつつ載せることで、該桟木受台１ａに正確に載置し得るようにするためのものであり、この実施例１では、厚み２ｍｍ、高さ７ｍｍ程度に構成したものである。
【００３０】
また前記弾性脚体１ｃは、前記桟木受台１ａの裏面の全面に取り付けた弾力性のある板状部材である。この実施例１では、厚みが３ｍｍの合成ゴム材を用い、これを接着剤で前記桟木受台１ａの裏面に固着したものである。他の固着手段を採用することも自由である。
【００３１】
従ってこの実施例１の桟木支持部材１によれば、図２に示すように、複数のそれを瓦下地３上の同一高さの位置に、野地垂木３ａ、３ａ…の位置に対応させ、ほぼ定間隔で配し、横一列に並んだそれら毎の上に瓦桟木２を載せ、各桟木支持部材１を固定釘４で該瓦桟木２と共に容易に該瓦下地３上に固定することができる。
【００３２】
瓦下地３は、云うまでもなく一般的な構造であり、図２、図３（ｂ）及び図４に示すように、所定間隔で傾斜状態に配された野地垂木３ａ、３ａ…上に野地板３ｂが配され、更にその上にルーフィング３ｃが被覆された構成のものである。
【００３３】
このような瓦下地３のルーフィング３ｃ上に、図２に示すように、上下方向には、使用する瓦５の寸法を考慮して、それより上下の瓦５、５の重なり合う分の長さを引いた間隔で、かつ横方向には、野地垂木３ａ、３ａ…の間隔で、各々その上に載る位置関係で、桟木支持部材１、１…を配しながら、その各々の桟木受台１ａ上に前記ガイド板１ｂを利用して瓦桟木２を載置し、図３（ａ）、（ｂ）に示すように、固定釘４を瓦桟木２の上から野地垂木３ａまで打ち込んで固定する。桟木支持部材１と瓦桟木２との固定釘４による固定は、両端から行い、その後、内側の桟木支持部材１の位置を正確に位置決めしつつ行うのが作業上都合が良い。
【００３４】
このようにして、図２に示すように、必要数の瓦桟木２、２…が桟木支持部材１、１…を介して瓦下地３上に固定されれば、この作業は完了である。その後は、一般的な手法によって対応する瓦５、５…が、図４に示すように、該瓦桟木２、２…に係止され、瓦５、５…が葺かれることとなる。
【００３５】
この実施例１の桟木支持部材１を採用した場合は、これは、以上に述べ、かつ図３（ｂ）に示すように、瓦桟木２を桟木受台１ａ上に載置した状態で、固定釘４によって瓦下地３に固定されるものであり、そのため、図３（ａ）に矢印で示すように、瓦５、５…を葺く前又は瓦５、５…を葺いた後でも何らかの事情でルーフィング３ｃ上を雨水が流れた場合は、その雨水は、桟木支持部材１の上辺側で左右に別れ、両側を通って流下することとなり、その下部とルーフィング３ｃの間に浸入するようなことはない。
【００３６】
桟木支持部材１の下部は弾性脚体１ｃで構成されており、これは適度な弾力性を有しているため、ルーフィング３ｃの上面に凹凸があったとしてもそれに応じた変形をすることにより良好に密着する。それ故、雨水等は、該ルーフィング３ｃと弾性脚体１ｃとの間に浸入することはできず、その結果、前記固定釘４の打ち込みによって生じたルーフィング３ｃの貫通孔に雨水が到達することがないため、その下方の野地板３ｂや野地垂木３ａ等への雨漏りが生じる虞がなくなるものである。
【００３７】
＜実施例２＞
図５及び図６は、本発明を適用した実施例２の桟木支持部材又はその使用態様を示したもので、図５（ａ）は桟木支持部材の背面側から見た概略斜視図、図５（ｂ）は桟木支持部材の正面側から見た概略斜視図、図５（ｃ）は桟木支持部材の裏面側から見た概略斜視図、図５（ｄ）は瓦桟木を支持した状態の桟木支持部材の背面側から見た概略斜視図、図６（ａ）は桟木支持部材で瓦桟木を支持する状態を示した平面説明図、図６（ｂ）は桟木支持部材で瓦桟木を支持する状態を示した断面説明図である。
【００３８】
この実施例２の桟木支持部材１１は、図５（ａ）〜（ｄ）に示すように、平面から見て四辺形板状の桟木受台１１ａとその一辺に立ち上げたガイド板１１ｂと、該桟木受台１１ａの裏面に取り付けた弾性脚体１１ｃとで構成したものである。
【００３９】
この実施例２の桟木支持部材１１は、これを構成する前記桟木受台１１ａ及びガイド板１１ｂについては、実施例１の桟木受台１ａ及びガイド板１ｂと全く同一寸法形状かつ同一の材質で構成したものであり、弾性脚体１１ｃの構成のみが実施例１の弾性脚体１ｃと異なる構成となっている。従って以下には該弾性脚体１１ｃを中心として説明する。
【００４０】
前記弾性脚体１１ｃは、図５（ｃ）に示すように、弾力性のある板状部材を底面側から見てＵ字形又は逆Ｕ字形にカットして構成した部材であり、これを、前記桟木受台１１ａの裏面に、瓦下地３に取り付ける際に下方となる側の辺に開口する向きに取り付ける。該弾性脚体１１ｃは、図５（ｃ）に示すように、従って、該桟木受台１１ａの裏面に於いて、瓦下地３に取り付ける際に下方となる側の辺以外の辺に沿って帯状に配すると云うこともできる。この実施例２でも、該弾性脚体１１ｃとしては、厚みが３ｍｍの合成ゴム材を用い、これを接着剤で前記桟木受台１１ａの裏面に固着したものである。当然、他の固着手段を採用することも自由である。
【００４１】
従ってこの実施例２の桟木支持部材１１によれば、実施例１のそれと全く同様に用いて瓦桟木２、２…を瓦下地３上に固設し、これらを利用して瓦５、５…を葺くことができることは云うまでもない。
【００４２】
この実施例２の桟木支持部材１１を採用した場合は、該桟木支持部材１１は、図６（ｂ）に示すように、瓦桟木２を桟木受台１１ａ上に載置した状態で、固定釘４によって瓦下地３に固定されるものであり、そのため、図６（ａ）に矢印で示すように、瓦５、５…を葺く前又は瓦５、５…を葺いた後でも何らかの事情でルーフィング３ｃ上を雨水が流れた場合は、その雨水は、桟木支持部材１１の上辺側で左右に別れ、両側を通って流下することとなり、その下部とルーフィング３ｃの間に浸入するようなことはない。
【００４３】
桟木支持部材１１の下部には、既述のように、弾性脚体１１ｃが配してあり、これは適度な弾力性を有しているため、ルーフィング３ｃの上面に凹凸があったとしてもそれに応じた変形をすることによりそれらの部位で良好に密着している。それ故、雨水等は、該ルーフィング３ｃと弾性脚体１１ｃとの間に浸入することはできず、その上辺側で左右に分かれ、両側方を通って流下してゆき、その内側に位置する、前記固定釘４の打ち込みによって生じたルーフィング３ｃの貫通孔に雨水が到達するようなことはない。
【００４４】
或いは、何らかの事情により、ルーフィング３ｃと弾性脚体１１ｃとの間に若干の隙間が生じてその中に雨水等が侵入してくることがあったとしても、この実施例２の弾性脚体１１ｃは、下流方向に開くＵ字形に構成されたものであり、桟木受台１１ａの上流側の辺及び両側辺に沿ってのみ位置し、前記固定釘４の打ち込みによって生じたルーフィング３ｃの貫通孔の位置する付近にまでは連続していないため、そこまで雨水が伝わって流れていくことはない。雨水は、このような場合は、結局、弾性脚体１１ｃの位置する両側部を伝わってその下流端まで流れ、その後は、該弾性脚体１１ｃから離れて流下してゆくことになるものである。こうして雨水は、前記貫通孔を通じてその下方の野地板３ｂや野地垂木３ａ等に流下するようなことはない。
【００４５】
＜実施例３＞
図７及び図８は、本発明を適用した実施例３の桟木支持部材又はその使用態様を示したもので、図７（ａ）は桟木支持部材の正面側から見た概略斜視図、図７（ｂ）は桟木支持部材の裏面側から見た概略斜視図、図７（ｃ）は瓦桟木を支持した状態の桟木支持部材の正面側から見た概略斜視図、図８（ａ）は桟木支持部材で瓦桟木を支持する状態を示した平面説明図、図８（ｂ）は桟木支持部材で瓦桟木を支持する状態を示した断面説明図である。
【００４６】
この実施例３の桟木支持部材２１は、図７（ａ）〜（ｃ）に示すように、平面から見て六角形板状の桟木受台２１ａと、瓦下地３上に取り付けた際に上方を向く隣接する二辺に立ち上げたガイド板２１ｂと、該桟木受台２１ａの裏面に取り付けた弾性脚体２１ｃとで構成したものである。
【００４７】
前記桟木受台２１ａは、瓦下地３上に取り付ける際に上下方向となる上方及び下方に向かって角部を有する形状となっており、その点のみが実施例２の桟木受台１１ａと異なる。また該桟木受台２１ａがそのように上下方向に向かってそれぞれ角部を有する形状となっているものであるため、その上方を向く二辺で立ち上がるガイド板２１ｂもそのように上方に向かって突き出す角部を有する形状となっている。このガイド板２１ｂもこの点以外は実施例２のガイド板１１ｂと同様である。
【００４８】
前記弾性脚体２１ｃは、図７（ｂ）に示すように、弾力性のある板状部材を底面側から見て六角形にカットすると共に、瓦下地３上に取り付けた際に下方を向くこととなる角部に開口部を形成した部材であり、これを、前記桟木受台２１ａの裏面に取り付けたものである。該弾性脚体２１ｃは、図７（ｂ）に示すように、従って、該桟木受台２１ａの裏面に於いて、瓦下地３に取り付ける際に下方となる角部を除いて各辺に沿って帯状に配したものであると云うこともできる。この実施例３でも、該弾性脚体２１ｃとしては、厚みが３ｍｍの合成ゴム材を用い、これを接着剤で前記桟木受台２１ａの裏面に固着したものである。この場合も、当然、他の固着手段を採用することは自由である。
【００４９】
従ってこの実施例３の桟木支持部材２１によれば、実施例１、２のそれと全く同様に用いて瓦桟木２、２…を瓦下地３上に固設し、これらを利用して瓦５、５…を葺くことができることは云うまでもない。
【００５０】
この実施例３の桟木支持部材２１を採用した場合は、該桟木支持部材２１は、図８（ｂ）に示すように、瓦桟木２を桟木受台２１ａ上に載置した状態で、固定釘４によって瓦下地３上に固定されるものであり、そのため、図８（ａ）に矢印で示すように、瓦５、５…を葺く前又は瓦５、５…を葺いた後でも何らかの事情でルーフィング３ｃ上を雨水が流れた場合は、その雨水は、桟木支持部材２１の上辺側で左右に別れ、両側を通って流下することとなり、その下部とルーフィング３ｃの間に浸入するようなことはない。
【００５１】
桟木支持部材２１の下部には、既述のように、弾性脚体２１ｃが配してあり、これは適度な弾力性を備えたものであるため、ルーフィング３ｃの上面に凹凸があったとしてもそれに応じた変形をすることによりそれらの部位で良好に密着している。それ故、雨水等は、通常、該ルーフィング３ｃと弾性脚体２１ｃとの間に浸入することはできず、その上辺側で左右に分かれ、両側方を通って流下してゆき、その内側に位置する、前記固定釘４の打ち込みによって生じたルーフィング３ｃの貫通孔に雨水が到達するようなことはない。
【００５２】
特に弾性脚体２１ｃ及び桟木受台２１ａは、上方を向く部位の中央に角部を有しているため、上流から流下する雨水等は、この部位で容易に左右に分流し、両側方を通って流下するものであり、上部に滞留して、徐々に弾性脚体２１ｃとルーフィング３ｃとの間に浸入することとなるような虞はない。
【００５３】
また、何らかの事情により、ルーフィング３ｃと弾性脚体２１ｃとの間に若干の隙間が生じてその中に雨水等が侵入してくることがあったとしても、この実施例２の弾性脚体２１ｃは、六角形状で、桟木受台２１ａの下方を向いた角部以外の周縁に沿って配されているものであり、前記固定釘４の打ち込みによって生じたルーフィング３ｃの貫通孔の位置する付近にまでは連続していないため、そこまで雨水が伝わって流れていくことはない。雨水は、このような場合は、結局、弾性脚体２１ｃの位置する周縁部を伝わってその下流端まで流れ、その後は、該弾性脚体２１ｃから離れて流下してゆくことになるものである。こうして雨水は、前記貫通孔を通じてその下方の野地板３ｂや野地垂木３ａ等に流下するようなことはない。
【００５４】
更にまたこの実施例３の桟木支持部材２１は、その弾性脚体２１ｃが下方を向いた角部に開口部を持っているに過ぎないものであるため、瓦桟木２、２…を設置した後、瓦５、５…を葺く前、又は葺いた後に何らかの事情によって雨水が下方から吹き上げられたとしても、この中に容易に雨水が浸入することはなく、それ故、この内部に位置する固定釘４によって形成された貫通孔を伝わって雨漏りを生じるような虞はない。
【００５５】
＜実施例４＞
図９は、本発明を適用した実施例４の桟木支持部材又はその使用態様を示したもので、図９（ａ）は桟木支持部材の裏面側から見た概略斜視図、図９（ｂ）は瓦桟木を支持した状態の桟木支持部材の背面側から見た概略斜視図である。
【００５６】
この実施例４の桟木支持部材３１は、図９（ａ）、（ｂ）に示すように、実施例２の桟木支持部材１１からガイド板１１ｂを取り外して、桟木受台１１ａと全く同様の桟木受台３１ａの上面に、これに載せる瓦桟木２を抱持する環状部３１ｂを構成したものである。桟木受台３１ａの裏面には、前記弾性脚体１１ｃと全く同様の弾性脚体３１ｃを取り付けてあるものである。この実施例４の桟木支持部材３１は、実施例２の桟木支持部材３１のガイド板１１ｂに代えて環状部３１ｂを取り付けたものと考えて良い。
【００５７】
それ故、この実施例４の桟木支持部材３１は、環状部３１ｂの用い方及びその効果を除いては実施例２の桟木支持部材と全く同様であり、同様に用いて同様の効果を得ることができる。
【００５８】
前記環状部３１ｂは、前記のように、瓦桟木２を抱持するものであり、そのため、その内周側の形状寸法を対象となる瓦桟木２の寸法と若干の余裕を持って一致させておく。この実施例４の環状部３１ｂは、対象の瓦桟木２の断面形状に相似形で僅かに大寸法の四辺形の断面形状とした。
【００５９】
従ってこの実施例４の桟木支持部材３１によれば、予め対象の瓦桟木２にその環状部３１ｂを利用して必要数のそれ、即ち、桟木支持部材３１、３１…を取り付けておくこととする。該瓦桟木２に必要数の桟木支持部材３１、３１…の環状部３１ｂを外装しておくものであり、こうしておくことにより、作業現場では、該桟木支持部材３１、３１…をスライド移動させて容易に相互を所定の間隔にセットすることができ、スピーディに瓦下地上３に取り付けることができる。
【００６０】
【発明の効果】
従って本発明の１の桟木支持部材によれば、複数のそれを瓦下地上の同一高さの位置にほぼ定間隔で配し、それらの上に瓦桟木を載せ、各桟木支持部材を固定釘で該瓦桟木と共に該瓦下地に固定すれば、瓦を葺く前又は瓦を葺いた後でも何らかの事情でルーフィング上を雨水が流れたとしても、該桟木支持部材の弾性脚体とルーフィングの上面との間に雨水が浸入するようなことはなく、その結果、良好に雨水を流下させ得、雨漏りの発生の余地はない。
【００６１】
従って本発明の２の桟木支持部材によれば、これによって本発明の１の桟木支持部材と同様に瓦桟木を支持した場合、その弾性脚体の下面が前記ルーフィングに密着状態に当接することとなるため、たとえ、ルーフィング上を雨水が流れることがあっても、これが該弾性脚体の下面とルーフィングの上面間に浸入する虞はない。
【００６２】
従って本発明の３の桟木支持部材によれば、これによって本発明の１の桟木支持部材と同様に瓦桟木を支持した場合、その桟木支持部材の下面の内、その周縁のみに位置する弾性脚体が前記ルーフィングに密着状態に当接することとなっており、何らかの事情で該弾性脚体の下面とルーフィングの上面間に隙間が生じ、これに雨水が浸入したとしても、雨水はその隙間に保持され、容易にその内側の弾性脚体の当接していない部位には浸入しない。かえって隙間に沿って緩やかに流下するような動きとなる。それ故、中央付近に位置する固定釘によって生じた貫通孔の位置には雨水が流れ込まず、雨漏れの虞は生じない。
【００６３】
従って本発明の４の桟木支持部材によれば、これによって本発明の１の桟木支持部材と同様に瓦桟木を支持することとした場合、相互の位置決めが容易かつ正確にできるため、その作業がスピーディに行えるようになる。
【００６４】
従って本発明の５の桟木支持部材によれば、これによって本発明の１の桟木支持部材と同様に瓦桟木を支持することとした場合、該瓦桟木に予め必要数の桟木支持部材をその環状部をそれに外装することで取り付けておくことが可能であり、こうしておくことにより、作業現場では、該桟木支持部材をスライド移動させることにより容易に相互を所定の間隔にセットすることができ、スピーディに瓦下地上に取り付けることができる。
【００６５】
従って本発明の６の桟木支持部材によれば、これを用いて本発明の１と同様に瓦桟木を取り付けた場合、例えば、何らかの理由によりルーフィング上を雨水が流れてきて該桟木支持部材の設置位置に至ったとしても、前記弾性脚体及び桟木受台が傾斜状方に向かって尖るテーパ状となっているため、雨水は両側に分かれて流下することとなり、その上端部に雨水が滞留するような虞はない。そのためこれに起因して徐々に前記弾性脚体と前記ルーフィングとの間にその雨水が浸入するような虞はない。
【図面の簡単な説明】
【図１】（ａ）は実施例１の桟木支持部材の背面側から見た概略斜視図。（ｂ）は桟木支持部材の裏面側から見た概略斜視図。（ｃ）は瓦桟木を支持した状態の桟木支持部材の背面側から見た概略斜視図。
【図２】瓦下地上に桟木支持部材を介して瓦桟木を配した状態を示す概略斜視図。
【図３】（ａ）は桟木支持部材で瓦桟木を支持する状態を示した平面説明図。（ｂ）は桟木支持部材で瓦桟木を支持する状態を示した断面説明図。
【図４】瓦下地に桟木支持部材を介して配した瓦桟木に瓦を係止した状態を示す概略側面説明図。
【図５】（ａ）は実施例２の桟木支持部材の背面側から見た概略斜視図。（ｂ）は桟木支持部材の正面側から見た概略斜視図。（ｃ）は桟木支持部材の裏面側から見た概略斜視図。（ｄ）は瓦桟木を支持した状態の桟木支持部材の背面側から見た概略斜視図。
【図６】（ａ）は桟木支持部材で瓦桟木を支持する状態を示した平面説明図。（ｂ）は桟木支持部材で瓦桟木を支持する状態を示した断面説明図。
【図７】（ａ）は実施例３の桟木支持部材の正面側から見た概略斜視図。（ｂ）は桟木支持部材の裏面側から見た概略斜視図。（ｃ）は瓦桟木を支持した状態の桟木支持部材の正面側から見た概略斜視図。
【図８】（ａ）は桟木支持部材で瓦桟木を支持する状態を示した平面説明図。（ｂ）は桟木支持部材で瓦桟木を支持する状態を示した断面説明図。
【図９】（ａ）は実施例４の桟木支持部材の裏面側から見た概略斜視図。（ｂ）は瓦桟木を支持した状態の桟木支持部材の背面側から見た概略斜視図。
【符号の説明】
１　　桟木支持部材
１ａ　桟木受台
１ｂ　ガイド板
１ｃ　弾性脚体
２　　瓦桟木
３　　瓦下地
３ａ　野地垂木
４　　固定釘
３ｂ　野地板
３ｃ　ルーフィング
５　　瓦
１１　桟木支持部材
１１ａ　桟木受台
１１ｂ　ガイド板
１１ｃ　弾性脚体
２１　桟木支持部材
２１ａ　桟木受台
２１ｂ　ガイド板
２１ｃ　弾性脚体
３１　桟木支持部材
３１ａ　桟木受台
３１ｂ　環状部
３１ｃ　弾性脚体
【図１】
2004019414.tif 000003
【図２】
2004019414.tif 000004
【図３】
2004019414.tif 000005
【図４】
2004019414.tif 000006
【図５】
2004019414.tif 000007
【図６】
2004019414.tif 000008
【図７】
2004019414.tif 000009
【図８】
2004019414.tif 000010
【図９】
2004019414.tif 000011